(57)【特許請求の範囲】
【請求項１】
汚泥が流れ下る液体透過性の流下通路を設けた汚泥濃縮機において、
流下通路の上流側から下流側に移動する調速板で汚泥の流下速度を制御する流下速度制御装置を設け、
流下通路は、床板の上に切断片を突出し、床板上のフロックを含む汚泥を調速板で押して切断片で切断する構成にしたことを特徴とする汚泥濃縮機。
【請求項２】
切断片は、複数を流下通路の横断方向に並列し、並列数を流下通路の下流側では上流側より多くしたことを特徴とする請求項１に記載の汚泥濃縮機。
【請求項３】
調速板は、台に多数の毛を突出してブラシ状にし、毛が床板を掃くと共に毛の列が床板上の切断片を通過する構成にしたことを特徴とする請求項１又は２に記載の汚泥濃縮機。
【請求項４】
流下通路は、床板に細長い透過孔を設け、透過孔に掃除片を嵌合し、
掃除片は、細長い透過孔に沿って移動可能にし、
掃除片の移動で透過孔を掃除する構成にしたことを特徴とする請求項１、２又は３に記載の汚泥濃縮機。
【請求項５】
床板の透過孔には、板片を貫通し、
板片は、床板の上に突出した部分を切断片にし、透過孔に嵌合した部分を掃除片にしたことを特徴とする請求項４に記載の汚泥濃縮機。
【請求項６】
掃除片は、設定時間が経過する毎に、透過孔に嵌合した状態で前進又は後退し、透過孔を掃除する構成にしたことを特徴とする請求項４又は５に記載の汚泥濃縮機。
【発明の詳細な説明】
【技術分野】
【０００１】
本発明は、汚泥を液体透過性の流下通路に流して液体を分離する濃縮機に関する。
【背景技術】
【０００２】
産業廃水や生活廃水は、凝集反応槽に供給して凝集剤を添加し、液体中の懸濁粒子を凝集してフロックを生成する。液体中にフロックを含む汚泥は、濃縮機に供給し、重力で液体を分離し、濃度を高める。濃縮汚泥は、スクリュープレスに供給し、圧搾で液体を分離し、脱水ケーキにする。
汚泥の濃縮機は、特許文献１に例示されているように、汚泥が流れ下って濃縮される流下通路を斜めに設けている。流下通路の上端の入口には、凝集反応槽の出口を接続する。流下通路の下端の出口は、スクリュープレスの入口に接続する。
流下通路は、横断面形状を溝形にし、床板を液体透過性にしている。流下通路の下には、床板の透過孔から流れ落ちる液体を集める液体室を設けている。流下通路の上には、底板をブラシで掃くと共に、汚泥が流れ下る速度をせき止め板で制御する掃き掃除装置兼用の流下速度制御装置を設けている。また、底板に洗浄水を設定時間毎に噴射する洗浄装置を設けている。
【０００３】
【特許文献１】特許第２９３４１７９号公報
【発明の開示】
【発明が解決しようとする課題】
【０００４】
［背景技術の課題］
上記のような汚泥濃縮機において、液体中にフロックを含む汚泥は、流下通路を流れ下る際、その上流側部分では、液体中にフロックが分散した状態であって、川のように流れ、液体が分離する量が多い。そのような汚泥は、流下通路の中程位に達すると、液体の減少によってフロックが集まって塊になる。流下通路の下流側部分では、フロック塊が流れ下る。フロック塊は、塊の外面に液体が膜状に付着し、隣接するフロックの間に液体が挟まれている。このフロック塊は、内部の液体が分離し難い。また、液体の粘度又は表面張力が高いと、塊外面の液体膜も分離し難い。
【０００５】
その上、液体の粘度又は表面張力が高いと、流下通路は、床板に液体が膜状に付着し、床板の透過孔が目詰まりし易い。流下通路の床板の目詰まり除去、掃除には、ブラシと洗浄水を用いている。洗浄水は、消費量が多い。
【０００６】
［課題を解決するための着想］
流下通路は、床板上に刃物のような切断片を突出することとした。すると、汚泥ないしフロック塊は、流下通路を流れ下る際、床板上に突出した切断片で切断される。フロック塊は、塊外面の液体膜が破られ、内部のフロック群が切り開かれる。塊外面の液体も、内部のフロック間の液体も、分離し易くなる。
【０００７】
また、流下通路の床板の透過孔は、細長い形状にし、掃除片を嵌合し、掃除片を透過孔に沿って移動することとした。すると、床板の透過孔は、掃除片の移動で掃除され、目詰まりし難い。洗浄水は、必要としない。
【課題を解決するための手段】
【０００８】
１）汚泥が流れ下る液体透過性の流下通路を設けた汚泥濃縮機において、
流下通路の上流側から下流側に移動する調速板で汚泥の流下速度を制御する流下速度制御装置を設け、
流下通路は、床板の上に切断片を突出し、床板上のフロックを含む汚泥を調速板で押して切断片で切断する構成にしたことを特徴とする。
２）上記の汚泥濃縮機において、
切断片は、複数を流下通路の横断方向に並列し、並列数を流下通路の下流側では上流側より多くしたことを特徴とする。
３）上記の汚泥濃縮機において、
調速板は、台に多数の毛を突出してブラシ状にし、毛が床板を掃くと共に毛の列が床板上の切断片を通過する構成にしたことを特徴とする。
４）上記の汚泥濃縮機において、
流下通路は、床板に細長い透過孔を設け、透過孔に掃除片を嵌合し、
掃除片は、細長い透過孔に沿って移動可能にし、
掃除片の移動で透過孔を掃除する構成にしたことを特徴とする。
５）上記４）の汚泥濃縮機において、
床板の透過孔には、板片を貫通し、
板片は、床板の上に突出した部分を切断片にし、透過孔に嵌合した部分を掃除片にしたことを特徴とする。
６）上記４）又は５）の汚泥濃縮機において、
掃除片は、設定時間が経過する毎に、透過孔に嵌合した状態で前進又は後退し、透過孔を掃除する構成にしたことを特徴とする。
【発明の効果】
【０００９】
流下通路を流れ下る汚泥は、フロックの塊になっても、その塊は、流下通路に突出した切断片で切断される。液体が分離し易い。
【００１０】
また、流下通路の透過孔は、これに嵌合した掃除片の移動で掃除される。目詰まりし難い。
【発明を実施するための最良の形態】
【００１１】
実施形態の汚泥濃縮機は、図１に示すように、汚泥が流れ下って濃縮される流下通路１を前下がりの斜めに設けている。流下通路１の後上端の入口には、図示しない凝集反応槽の出口を接続する。流下通路１の前下端の出口は、図示しないスクリュープレスの入口に接続する。
【００１２】
流下通路１は、図１〜図５に示すように、左右の側壁２と底板３を備え、横断面形状を溝形にしている。底板３は、多数の透過孔を貫通し、液体透過性にしている。
【００１３】
床板３は、ヴェッジワイヤスクリーンにし、楔形状断面のワイヤ４を前後方向の汚泥流下方向に沿って配置している。ワイヤ４は、多数本を左右方向、横断方向に隙間を置いて並列している。ワイヤ４の下には、桟５を横断方向に沿って配置している。桟５は、複数本を汚泥流下方向に間隔を置いて並列している。ワイヤ４は、桟５に固定している。桟５は、左右の側壁２に掛け渡して固定している。ワイヤ４と桟５の間の隙間は、透過孔にしている。透過孔は、汚泥流下方向に細長い長方形孔、スリットにしている。多数の透過孔は、汚泥流下方向と横断方向にそれぞれ均等間隔に配列している。流下通路１の下には、床板３の透過孔から流れ落ちる液体を集める液体室６を設けている。
【００１４】
流下通路１と液体室６の間には、図１〜図５に示すように、床板３の透過孔の掃除装置を兼ねた汚泥切断装置を設けている。
この装置は、床板３の下に可動軸１１を汚泥流下方向に沿って軸受けし、軸心方向の汚泥流下方向に移動可能にしている。可動軸１１は、２本を左右に並列している。左右の可動軸１１には、横棒１２を横断方向に沿って掛け渡して固定している。横棒１２は、複数本を汚泥流下方向に間隔を置いて並列している。横棒１２の並列間隔は、床板３の桟５のそれと同一にしている。
【００１５】
各横棒１２には、それぞれ、板片１３を貫通して固定している。板状の板片１３は、縦にして汚泥流下方向即ち床板３の透過孔の長手方向に沿って配置している。この板片１３は、多数枚を横断方向に隙間を置いて並列している。板片１３の並列間隔は、床板３の透過孔の横断方向間隔と同一にしている。
【００１６】
一部の板片１３は、背を高くし、床板３の透過孔を貫通し、床板３の上に突出している。背の高い板片１３は、床板３上に突出している部分を切断片１４にし、床板３の透過孔に嵌合している部分を掃除片にしている。掃除片は、汚泥流下方向の長さが床板３の透過孔のそれより短い。背の高い板片１３ないし切断片１４は、横断方向の並列間隔を均等にしている。また、切断片１４は、流下通路１の下流側の横棒１２上の列では上流側の横棒１２上の列より、並列枚数を多くし、並列間隔を狭くしている。
【００１７】
残部の板片１３は、背を低くし、上端を床板３の透過孔に差し込み、床板３上に突出していない。背の低い板片１３は、床板３の透過孔に嵌合し、掃除片にしている。掃除片１３は、汚泥流下方向の長さが床板３の透過孔のそれより短い。
【００１８】
すべての板片１３、横棒１２と可動軸１１は、板片１３が床板３の透過孔に嵌合した状態で、汚泥流下方向に沿って移動可能にしている。その移動可能範囲は、板片１３が床板３の透過孔の上流端、後端に当る後退端と、床板３の透過孔の下流端、前端に当る前進端の間である。
【００１９】
板片１３の移動駆動装置は、左右の可動軸１１の下面側をラック１５にしている。左右のラック１５の下には、回転軸１６を横断方向に沿って軸受けしている。回転軸１６には、ピニオン１７を左右位置にそれぞれ固定している。左右のピニオン１７は、それぞれ、左右のラック１５に噛み合わせている。回転軸１６は、傘歯車伝動機構で電動機１８に連結している。
【００２０】
可動軸１１には、作動片１９を固定している。作動片１９の前側と後側には、それぞれ、スイッチ２０、２１を設けている。可動軸１１ないし板片１３が後退端に位置すると、図１に示すように、作動片１９が後側のスイッチ２１を作動する。逆に、前進端に位置すると、図６に示すように、作動片１９が前側のスイッチ２０を作動する。
【００２１】
板片１３の移動を制御する電気回路を設けている。電気回路は、板片１３が後退端に停止している時間が設定値になる毎に、電動機１８を回転して板片１３を前進させ、前側のスイッチ２０が作動すると、電動機１８を停止して板片１３を前進端に停止させる。また、板片１３が前進端に停止している時間が設定値になる毎に、電動機１８を逆転して板片１３を後退させ、後側のスイッチ２１が作動すると、電動機１８を停止して板片１３を後退端に停止させる。
【００２２】
流下通路１の上には、底板３の掃き掃除装置を兼ねた汚泥の流下速度制御装置を設けている。
この装置は、流下通路１上の入口側と出口側に、それぞれ、駆動軸３１と従動軸３２を横断方向に沿って軸受けしている。駆動軸３１は、鎖伝動機構で電動機３３に連結している。駆動軸３１と従動軸３２は、それぞれ、左右位置に鎖車３４を固定している。駆動軸３１と従動軸３２の左側の鎖車３４には、無端の鎖３５を掛け渡している。また、駆動軸３１と従動軸３２の右側の鎖車３４にも、無端の鎖３５を掛け渡している。左右の鎖３５には、調速板３６を横断方向に沿って掛け渡して取り付けている。調速板３６は、複数枚を鎖３５の外周側に等間隔位置に並列して外向きに突出している。
【００２３】
この調速板３６は、鎖３５に取り付けた台に多数の毛を並列して突出し、ブラシ状にしている。ブラシの毛は、底板３上に突出した切断片１４より長くしている。ブラシ状の調速板３６は、鎖３５の下側に位置する間、流下通路１に横断方向に沿って嵌合し、毛の端が底板３に接触する。この調速板３６は、底板３上に突出している切断片１４に当たると、毛の列が切断片１４で左右に押し分けられ、切断片１４を通過する。
【００２４】
電動機３３を駆動すると、調速板３６は、駆動軸３１を回って鎖３５の下側に達し、流下通路１の入口に入り込み、流下通路１に嵌合する。そして、流下通路１に嵌合した状態で、ブラシの毛が底板３を掃きながら、底板３上に突出した切断片１４を順次通過し、流下通路１を設定速度で下る。調速板３６は、流下通路１の出口に達すると、流下通路１から抜け出し、従動軸３２を回って鎖３５の上側に至る。
【００２５】
この汚泥濃縮機においては、図７に示すように、流下通路１の入口に、液体中にフロックを含む汚泥Ｓを供給する。汚泥Ｓは、流下通路１を流れ下る際、その上流側部分では、液体が分離する量が多く、流下通路１の中程位では、液体の減少によってフロックが集まって塊になる。流下通路１の下流側部分では、フロック塊が流れ下る。フロック塊は、フロックが分散した汚泥Ｓより、自然流下速度が遅くなる。
【００２６】
流下通路１を流れ下るフロック塊は、流下通路１の上流側から下流側に移動する調速板３６で押されて流れ、床板３上に突出した切断片１４の列に押し付けられ、切断片１４で切断される。調速板３６で押し流されるフロック塊は、切断片１４の列を順次通過し、複数回切断される。フロック塊は、切断片１４の通過で、塊外面の液体膜が破られ、内部のフロック群が切り開かれる。塊外面の液体も、内部のフロック間の液体も、分離する。
【００２７】
また、ブラシ状の調速板３６は、毛が底板３に接しつつ移動し、底板３を掃除する。更に、板片１３ないし掃除片１３は、設定時間が経過する毎に、床板３の透過孔に嵌合した状態で前進又は後退し、床板３の透過孔を掃除する。床板３の透過孔は、目詰まりしない。
【産業上の利用可能性】
【００２８】
本発明は、産業廃水や生活廃水の処理に利用される。
【図面の簡単な説明】
【００２９】
【図１】本発明の実施形態における汚泥濃縮機の概略部分縦断側面図。
【図２】図１のＡ−Ａ線断面図。
【図３】図２の流下通路付近の拡大図。
【図４】図１のＢ−Ｂ線断面図。
【図５】図４の流下通路付近の拡大図。
【図６】同汚泥濃縮装置の板片、切断片、掃除片の前進状態を示す概略部分縦断側面図。
【図７】同汚泥濃縮装置の使用状態を示す概略部分縦断側面図。
【符号の説明】
【００３０】
１  流下通路
２  側壁
３  底板
４  底板のワイヤ
５  底板の桟
６  液体室
１１〜２１  透過孔掃除装置兼用の汚泥切断装置
１１  可動軸
１２  横棒
１３  板片
１３  背の高い板片、切断片と掃除片
１３  背の低い板片、掃除片
１４  切断片
１５〜２１  板片の移動駆動装置
１５  ラック
１６  回転軸
１７  ピニオン
１８  電動機
１９  作動片
２０  前側のスイッチ
２１  後側のスイッチ
３１〜３６  底板掃き掃除装置兼用の汚泥流下速度制御装置
３１  駆動軸
３２  従動軸
３３  電動機
３４  鎖車
３５  無端の鎖
３６  調速板、ブラシ状の調速板
Ｓ  液体中にフロックを含む汚泥
【図１】
0005147334.tif 000002
【図２】
0005147334.tif 000003
【図３】
0005147334.tif 000004
【図４】
0005147334.tif 000005
【図５】
0005147334.tif 000006
【図６】
0005147334.tif 000007
【図７】
0005147334.tif 000008